(57)【要約】【課題】本発明は、変更後の画像を元画像に戻すための画像情報を、画質への影響を抑制しつつ該変更後画像に載せる。【解決手段】複合装置１は、その画像処理装置４０の配色変更検定部４１が、入力されるカラー画像データの所定領域毎に色変換を行う色変換対象領域であるか否か及び該色変換対象領域であるときの色変換内容を判断する。画像処理装置４０の色変換部４２が、配色変更検定部４１の色変換判断結果に基づいて、カラー画像データに対して領域毎に色変換を行い、色変更情報合成部４３が、領域毎の色変換内容に関する色変換内容情報を、該各領域の色変換処理後のカラー画像データに合成する。複合装置１の画像出力装置５０の画像出力部５１が、色変換内容情報の合成されたカラー画像データに基づいて画像を出力する。【選択図】          図３
2017005675.tif 000002
【特許請求の範囲】
【請求項１】
カラー画像データの所定領域毎に色変換を行う色変換対象領域であるか否か及び該色変換対象領域であるときの色変換内容を判断する変換判断手段と、
前記色変換判断結果に基づいて、前記カラー画像データに対して前記領域毎に色変換を行う色変換手段と、
前記領域毎の前記色変換内容に関する色変換内容情報を、該各領域の前記色変換処理後のカラー画像データに合成する合成手段と、
を備えていることを特徴とする画像処理装置。
【請求項２】
前記変換判断手段は、
前記カラー画像データの前記領域毎に、該カラー画像データが予め設定されている複数の色変換タイプのいずれかのカラー画像データに対応するか否かに基づいて前記色変換内容を判断することを特徴とする請求項１記載の画像処理装置。
【請求項３】
前記変換判断手段は、
前記色変換タイプとして、カラーユニバーサルデザイン機構の定める色弱者タイプを用いて前記色変換内容を判断することを特徴とする請求項２記載の画像処理装置。
【請求項４】
前記合成手段は、
前記領域のカラー画像データを間引く間引きパターンを前記色変換内容に基づいて変更することで該カラー画像データに前記色変換内容情報を合成することを特徴とする請求項１から請求項３のいずれかに記載の画像処理装置。
【請求項５】
前記画像処理装置は、
前記合成手段による前記カラー画像データへの前記色変換内容情報の合成／非合成を設定する合成設定手段を、
さらに備え、
前記合成手段は、
前記合成設定手段で合成が設定されていると、前記カラー画像データへの前記色変換内容情報の合成を行うことを特徴とする請求項１から請求項４のいずれかに記載の画像処理装置。
【請求項６】
前記画像処理装置は、
カラー画像データを取得する画像データ取得手段と、
前記画像データ取得手段の取得した前記カラー画像データの所定領域毎に、該カラー画像データに対して実施されている色変換内容を示す色変換内容情報を取得する情報取得手段と、
前記色変換内容情報に基づいて、前記カラー画像データの前記領域毎に逆色変換を施して色変換前のカラー画像データに復元する復元手段と、
をさらに備えていることを特徴とする請求項１から請求項５のいずれかに記載の画像処理装置。
【請求項７】
カラー画像データの所定領域毎に色変換を行う色変換対象領域であるか否か及び該色変換対象領域であるときの色変換内容を判断する変換判断手段と、
前記色変換判断結果に基づいて、前記カラー画像データに対して前記領域毎に色変換を行う色変換手段と、
前記カラー画像データに対して前記色変換手段による色変換が行われると、該色変換有りを示す色変換有画像を前記カラー画像データに合成する色変換有画像合成手段と、
前記色変換手段によって色変換の行われた前記領域と該色変換内容に関する色変換内容情報を示す色変換情報画像データを生成する色変換情報画像生成手段と、
を備えていることを特徴とする画像処理装置。
【請求項８】
前記色変換有画像合成手段は、
前記カラー画像データの少なくとも一対角方向の両角部に、前記色変換有画像を合成することを特徴とする請求項７記載の画像処理装置。
【請求項９】
前記変換判断手段は、
前記カラー画像データの前記領域毎に、該カラー画像データが予め設定されている複数の色変換タイプのいずれかのカラー画像データに対応するか否かに基づいて前記色変換内容を判断することを特徴とする請求項７または請求項８記載の画像処理装置。
【請求項１０】
前記変換判断手段は、
前記色変換タイプとして、カラーユニバーサルデザイン機構の定める色弱者タイプを用いて前記色変換内容を判断することを特徴とする請求項９記載の画像処理装置。
【請求項１１】
前記画像処理装置は、
前記色変換有画像合成手段による前記カラー画像データへの前記色変換有画像の合成／非合成及び前記色変換情報画像生成手段による前記色変換情報画像データの生成／非生成を設定する設定手段を、
さらに備え、
前記色変換有画像合成手段は、
前記設定手段で合成が設定されていると、前記カラー画像データへの前記色変換有画像の合成を行い、
前記色変換情報画像生成手段は、
前記設定手段で生成が設定されていると、前記色変換情報画像データの生成を行うことを特徴とする請求項７から請求項１０のいずれかに記載の画像処理装置。
【請求項１２】
前記画像処理装置は、
出力媒体の一面のカラー画像からカラー画像データを取得する画像データ取得手段と、
前記画像データ取得手段の取得した前記カラー画像データから、該カラー画像データに対して色変換が施されていることを示す色変換有画像を取得する色変換有情報取得手段と、
前記色変換有情報が取得されると、前記出力媒体の他面の画像から前記カラー画像データに対して実施されている前記領域とその色変換内容を示す色変換情報を取得する情報取得手段と、
前記色変換情報に基づいて、前記カラー画像データに逆色変換を施して色変換前のカラー画像データに復元する復元手段と、
をさらに備えていることを特徴とする請求項７から請求項１１のいずれかに記載の画像処理装置。
【請求項１３】
カラー画像データの所定領域毎に色変換を行う色変換対象領域であるか否か及び該色変換対象領域であるときの色変換内容を判断する変換判断手段と、
前記色変換判断結果に基づいて、前記カラー画像データに対して前記領域毎に色変換を行う色変換手段と、
前記領域毎の前記色変換内容に関する色変換内容情報を、該各領域の前記色変換処理後のカラー画像データに合成する合成手段と、
前記合成手段で前記色変換内容情報の合成された前記カラー画像データに基づいて画像を出力媒体に出力する画像出力手段と、
を備えていることを特徴とする画像形成装置。
【請求項１４】
カラー画像データの所定領域毎に色変換を行う色変換対象領域であるか否か及び該色変換対象領域であるときの色変換内容を判断する変換判断手段と、
前記色変換判断結果に基づいて、前記カラー画像データに対して前記領域毎に色変換を行う色変換手段と、
前記カラー画像データに対して前記色変換手段による色変換が行われると、該色変換有りを示す色変換有画像を前記カラー画像データに合成する色変換有画像合成手段と、
前記色変換手段によって色変換の行われた前記領域と該色変換内容に関する色変換内容情報を示す色変換情報画像データを生成する色変換情報画像生成手段と、
前記色変換有画像合成手段で前記色変換有画像の合成された前記カラー画像データに基づいて画像を出力媒体の一面に出力し、前記色変換情報画像生成手段で生成された前記色変換情報画像データに基づいて色変換情報画像を該出力媒体の他面に出力する画像出力手段と、
を備えていることを特徴とする画像形成装置。
【発明の詳細な説明】
【技術分野】
【０００１】
本発明は、画像処理装置及び画像形成装置に関し、詳細には、画像変更と変更内容の復元を行う画像処理装置及び画像形成装置に関する。
【背景技術】
【０００２】
画像の表示出力、形成出力においては、元々の画像データに対して、種々の画像変換処理を施して、出力することが行われる。
【０００３】
色弱者は、通常、網膜上にある三種類のＬ、Ｍ、Ｓ錐体のうち、いずれか一つの錐体を欠く二色型色覚、光の波長に対する感度特性が変化している錐体をもつ異常三色型色覚に分類され、一般の色覚者より色の判別が難しい組み合わせが存在する。ＣＵＤＯ（Color Universal Design Organization：カラーユニバーサルデザイン機構）によると、上記組み合わせを以下の通り分類している。Ｃ型色覚の人を一般色覚とし、Ｐ型（Ｌ錐体をもたないまたはＬ錐体がＭ錐体の感度特性に近い）、Ｄ型（Ｍ錐体をもたないまたはＭ錐体がＬ錐体の感度特性に近い）、Ｔ型（Ｓ錐体を持たない）、としている。
【０００４】
この色弱者に対する画像変換として、画像変換処理においては、画像を構成するグラフィックや文字等の位置関係、使用されている色情報等を入力情報として、判別しづらい混同色を判別し、混同色が見つかった場合は、混同色を避けるような配色へ色変換を行って、画面表示、印刷出力する。このとき、入力情報として色弱者の色覚特性を加えて、混同色の探索、色変換を行い、色覚が健常者と異なる色弱者に対して配慮した画像へ画像変換処理を施して、画面表示や印刷出力することが行われている。
【０００５】
ところが、色弱者用に画像変換して印刷出力すると、画像の色から配色が変更されているため、この印刷物を複写しても、色変換後の印刷物の複写となり、一般色覚者にとっては、かえって見難かったり、異なった画像の印刷物を渡してしまうことになる。
【０００６】
この問題を解決するためには、元画像に対して画像変換処理を行った画像を、元の画像に戻すことが要求されるが、そのためには、元の画像に戻すための情報が必要となる。
【０００７】
従来、カラー画像データを白黒画像データに変換する白黒変換手段と、前記カラー画像データからカラー画像を復元するためのカラー情報を取得するカラー情報取得手段と、前記カラー情報を前記白黒変換手段の変換した白黒画像への影響を抑制した所定のカラー情報画像に画像化するカラー情報画像化手段と、前記白黒画像データに基づいて白黒画像を被画像形成媒体に記録出力するとともに、該画像形成媒体に前記カラー情報画像を記録出力する記録出力手段と、を備えている画像形成装置が提案されている（特許文献１参照）。この従来技術では、カラー情報画像化手段は、カラー情報画像として２次元バーコードを採用している。
【発明の概要】
【発明が解決しようとする課題】
【０００８】
しかしながら、上記公報記載の従来技術にあっては、元のカラー画像に復元するためのカラー情報を２次元バーコード等に画像化して白黒画像に合成しているため、変更画像のカラー情報を全て変更後の画像に合成するには、カラー情報の情報量が莫大となる。その結果、カラー情報が合成される変更後の画像が不自然な画像となり、画質が低下するという問題があった。
【０００９】
そこで、本発明は、変更後の画像を元画像に戻すための画像情報を、画質への影響を抑制しつつ該変更後画像に載せることを目的としている。
【課題を解決するための手段】
【００１０】
上記目的を達成するために、請求項１記載の画像処理装置は、カラー画像データの所定領域毎に色変換を行う色変換対象領域であるか否か及び該色変換対象領域であるときの色変換内容を判断する変換判断手段と、前記色変換判断結果に基づいて、前記カラー画像データに対して前記領域毎に色変換を行う色変換手段と、前記領域毎の前記色変換内容に関する色変換内容情報を、該各領域の前記色変換処理後のカラー画像データに合成する合成手段と、を備えていることを特徴としている。
【発明の効果】
【００１１】
本発明によれば、変更後の画像を元画像に戻すための画像情報を、画質への影響を抑制しつつ該変更後画像に載せることができる。
【図面の簡単な説明】
【００１２】
【図１】本発明の第１実施例を適用した複合装置の外観斜視図。
【図２】複合装置のハードウェアのブロック構成図。
【図３】複合装置の画像処理装置及び画像出力装置としての機能ブロック図。
【図４】複合装置の画像復元装置としての機能ブロック図。
【図５】色変更情報と示す間引きパターンの一例を示す図。
【図６】カラー画像データに図５の間引きパターンを適用した一例を示す図。
【図７】間引きパターンに色変更タイプを適用した一例を示す図。
【図８】色変換・情報合成処理を示すフローチャート。
【図９】画像取得・色復元処理を示すフローチャート。
【図１０】本発明の第２実施例を適用した複合装置の画像処理装置及び画像出力装置としての機能ブロック図。
【図１１】複合装置の画像復号装置としての機能ブロック図。
【図１２】色変換有画像の合成されたカラー画像データに基づいて画像の形成された用紙の一例を示す図。
【図１３】カラー画像の形成された用紙の他面であって色変換情報画像の形成された用紙の一例を示す図。
【図１４】色変換パターン画像の一例を示す図。
【図１５】色変換・情報生成処理を示すフローチャート。
【図１６】画像取得・色復元処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図９は、本発明の画像処理装置及び画像形成装置の第１実施例を示す図であり、図１は、本発明の画像処理装置及び画像形成装置の第１実施例を適用した複合装置１の外観斜視図である。
【００１５】
図１において、複合装置１は、本体筐体２の上部に、スキャナ部３が配設され、本体筐体２内に、プリンタ部４、給紙部５及び排紙部６等が設けられている。複合装置１は、本発明の画像処理装置を備え、さらに、画像形成装置を備えた装置となっている。
【００１６】
また、複合装置１は、本体筐体２の上部前面に、操作表示部８が設けられており、操作表示部８には、各種キー８ａが設けられているとともに、ディスプレイ８ｂが設けられている。操作表示部８は、キー８ａにより複合装置１の各種動作命令等が入力され、ディスプレイ８ｂは、キー８ａから入力された内容や複合装置１からユーザへ通知する各種情報を表示する。ディスプレイ８ｂは、後述するスキャナ部３が読み取ったカラー原稿のカラー画像データから生成されたカラー画像を表示出力し、画像出力手段として機能している。
【００１７】
スキャナ部３としては、例えば、光電変換素子としてＣＣＤ(Charge Coupled Device)またはＣＭＯＳ（Complementary Metal Oxide Semiconductor ）を用いたスキャナが用いられている。スキャナ部３は、原稿を走査して、該原稿の画像を読み取って画像データを出力する画像読取処理を行う。特に、スキャナ部３は、原稿として、カラー原稿の画像を読み取って、カラー画像データを出力する。
【００１８】
プリンタ部４は、例えば、インク吐出方式、電子写真方式のプリンタが用いられている。プリンタ部４は、インク吐出方式のプリンタの場合、各色（ＲＢＧ色、ＭＣＹＫ色等）のインクを吐出するノズルの形成されている記録ヘッドを備えており、電子写真方式のプリンタの場合、例えば、各色の作像ユニット等を備えている。プリンタ部４は、スキャナ部３の読み取った原稿の画像データやコンピュータ等の外部の情報処理装置から有線または無線のネットワークを介して送信されてきた画像データに基づいて、給紙部５から送られてきた用紙（被記録媒体）に、ノズル、トナー等の記録剤を付与して画像を形成する。プリンタ部４は、画像形成済み（印刷済み）の用紙を、排紙部６へ排出する。プリンタ部４は、ｓＲＧＢ、または、ＣＭＹのカラーで印刷する。
【００１９】
給紙部５は、複数の給紙トレイを備えており、各給紙トレイには、それぞれサイズの異なる用紙、フィルム等の被記録媒体（以下、単に、用紙という。）を収納可能である。給紙部５は、指定された給紙トレイの用紙を、１枚ずつ、プリンタ部４へ搬送する。
【００２０】
そして、複合装置１は、図２に示すようにブロック構成されており、コントローラ１１及び上記スキャナ部３、プリンタ部４、操作表示部８等を備えている。
【００２１】
コントローラ１１は、ＣＰＵ（Central Processing Unit ）２１、ＲＯＭ（Read Only Memory）２２、ＲＡＭ（Random Access Memory）２３、ＮＶＲＡＭ（Non-Volatile Random Access Memory）２４、ハードディスク（ＨＤＤ）２５、ネットワークＩ／Ｆ（インターフェイス）２６、スキャナＩ／Ｆ２７、プリンタＩ／Ｆ２８及びパネルＩ／Ｆ２９等を備えていて、各部は、バス３０で接続されている。
【００２２】
ネットワークＩ／Ｆ２６には、ＬＡＮ（Local Area Network）等のネットワークＮＷを介してコンピュータ等の情報処理装置が接続されており、ネットワークＩ／Ｆ２６は、情報処理装置から送信されてくる制御信号及び画像データ等を受け取る。また、ネットワークＩ／Ｆ２６は、複合装置１から情報処理装置に送信するステータス信号等の送り出しを行う。
【００２３】
ＲＯＭ２２は、コントローラ１１内でのデータの処理や管理及び周辺モジュールを制御するためのプログラム、具体的には、複合装置１としての基本処理プログラム及び本発明の画像処理方法を実行するプログラム等の各種プログラムを格納しているとともに、これらの各プログラムを実行するのに必要な各種データを格納している。
【００２４】
ＣＰＵ２１は、ＲＯＭ２２に格納されているプログラムに基づいて、ＲＡＭ２３をワークメモリとして利用しつつ、複合装置１の各部を制御して、印刷処理、画像読取処理、複写処理、転送処理等の画像処理を行う。特に、ＣＰＵ２１は、ＲＯＭ２２内の本発明のプログラムに基づいて、後述する本発明の画像処理方法を実行する。
【００２５】
ＲＡＭ２３は、ＣＰＵ２１のワークメモリとして利用されるとともに、各種画像処理を行うために、画像データをページ単位に管理して一時記憶するバッファ及びバッファに記憶されたデータを実際の印刷に適した描画データに変換して展開されるビットマップメモリ等として利用される。
【００２６】
ＮＶＲＡＭ２４は、複合装置１の電源が切られているときにも記憶内容を保持するメモリであり、複合装置１の電源がオフの際にも保持する必要のあるデータ、特に、後述する画像処理で必要な各種データがＣＰＵ２１の制御下で格納される。
【００２７】
ハードディスク２５は、スキャナ部３で読み取られた原稿の画像データ、情報処理装置から送られてきた画像データ等のデータをＣＰＵ２１の制御下で蓄積し、また、読み出される。
【００２８】
スキャナＩ／Ｆ２７には、上記スキャナ部３が接続されており、スキャナＩ／Ｆ２７は、コントローラ１１からスキャナ部３への制御信号及びスキャナ部３からコントローラ１１へのステータス信号や読取原稿の画像データ等の授受を行う。
【００２９】
プリンタＩ／Ｆ２８には、上記プリンタ部４が接続されており、プリンタＩ／Ｆ２８は、コントローラ１１からプリンタ部４への制御信号や描画データ及びプリンタ部４からコントローラ１１へのステータス信号の授受を行う。
【００３０】
パネルＩ／Ｆ２９には、上記操作表示部８が接続されており、パネルＩ／Ｆ２９は、ＣＰＵ２１と操作表示部８との間の信号及びデータの授受を行う。
【００３１】
なお、複合装置１は、コントローラ１１が、外部Ｉ／Ｆを備えていて、例えば、可搬性を有する外部記憶部が着脱可能に装着されていてもよい。この場合、外部記憶部としては、例えば、ＵＳＢ（Universal Serial Bus）メモリ、メモリカード（例えば、ＳＤメモリカード等）、フロッピィディスク（登録商標）等が利用される。
【００３２】
そして、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明の画像処理方法を実行する各プログラムを読み込んでＲＯＭ２２、ハードディスク２５等に導入することで、後述する変更後の画像を元画像に戻すための画像情報を、画質への影響を抑制しつつ該変更後画像に載せる画像処理方法を実行する画像処理装置、画像復元機能を有した画像処理装置及び画像形成装置を備えた複合装置として構築されている。これらのプログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３３】
複合装置１は、上記画像処理プログラムが導入されて実行されることで、図３に示すような機能ブロックが構築される。すなわち、複合装置１は、画像処理方法を実行する各プログラムが導入されることで、図３に示す画像処理装置４０、画像出力装置５０及び図４に示す画像復元装置６０が構築される。なお、図３以降の説明においては、画像形成装置を、画像出力装置の名称を用いて説明する。また、画像復元装置６０は、画像処理装置４０に画像復元機能を付加した装置であり、画像処理装置の概念に含まれる。
【００３４】
複合装置１は、図３に示すように、画像処理装置４０として、配色変更検定部４１、色変換部４２及び色変更情報合成部４３が構築され、画像出力装置５０として、上記画像処理装置４０と画像出力部５１が構築される。また、複合装置１は、図４に示すように、画像復元装置６０として、画像データ取得部６１、情報取得部６２及び色復元部６３が構築される。
【００３５】
配色変更検定部４１は、ＣＰＵ２１及びＲＡＭ２３等で構築されており、カラー画像データがネットワークＩ／Ｆ２６を介して外部の情報処理装置から、また、スキャナＩ／Ｆ２７を介してスキャナ部３から入力される。配色変更検定部４１は、入力されるカラー画像データの所定領域毎に色変換を行う色変換対象領域であるか否かと色変換対象領域であるときの色変換内容を判断して、判断結果を色変更情報として色変換部４２及び色変更情報合成部４３へ出力する。したがって、配色変更検定部４１は、変換判断手段として機能している。配色変更検定部４１は、カラー画像データの前記領域毎に、該カラー画像データが予め設定されている複数の色変換タイプのいずれかの色変換タイプのカラー画像データに対応するか否かに基づいて色変換対象領域であるか否か及び色変換内容を判断する。また、配色変更検定部４１は、この色変換タイプとして、カラーユニバーサルデザイン機構の定める色弱者タイプを用いて色変換対象領域であるか否か及び色変換内容を判断する。配色変更検定部４１は、具体的には、入力されるカラー画像データと、どの色弱者タイプに対応した配色にするかを表す色変更タイプ（Ｃ型、Ｐ型、Ｄ型、Ｔ型の４種）から、混同色を探索して、色の変更を行う／行わない（色変換対象領域であるか否か）の判断を行う。
【００３６】
なお、配色変更検定部４１の行う色変更対象領域の有無及び色変換タイプの判断は、適宜設定することができ、上記色弱者に関するカラーユニバーサルデザイン機構の方式による判断を用いることもできるし、他の方式の判断であってもよい。
【００３７】
色変換部４２は、ＣＰＵ２１により構築されており、カラー画像データが入力されるとともに、配色変更検定部４１から色変更情報が入力される。色変換部４２は、色変換判断結果である色変更情報に基づいて、入力されるカラー画像データに対して上記領域毎に色変換を行い、色変換後のカラー画像データを色変更情報合成部４３へ出力する。したがって、色変換部４２は、色変換手段として機能している。また、色変換部４２は、色変更情報が色変更タイプで示されているときには、該色変更タイプに基づいて、色変換の実施の有無と色変換内容を決定し、入力されるカラー画像データに対して必要な色変換処理を行う。さらに、色変換部４２は、色変換タイプが色弱者タイプで示されるときには、該色弱者タイプに基づいて、色変換の実施の有無と色変換内容を決定し、入力されるカラー画像データに対して必要な色変換処理を行う。この場合、色変換部４２は、例えば、色弱者が複数の色同士を容易に識別できるようにするために、輝度成分とそれ以外の２成分のうち、第１軸の成分に応じて、第１軸の成分が所定値以上の場合と、第１軸の成分が所定値未満の場合に区別する。色変換部４２は、第１軸の成分が所定値以上と所定値未満のいずれか一方の場合に、輝度成分を減少させ、他方の場合には、輝度成分を増加させ、また、輝度成分の変化に応じて、第２軸の成分を減少させる等の色変換を行う。
【００３８】
色変更情報合成部４３は、ＣＰＵ２１により構築されており、色変換部４２から色変換後のカラー画像データが、配色変更検定部４１から色変更情報が入力される。色変更情報合成部４３は、配色変更検定部４１から入力される領域毎の色変換内容に関する色変更情報（色変換内容情報）を、色変換部４２から入力される各領域の色変換処理後のカラー画像データに合成する。したがって、色変更情報合成部４３は、合成手段として機能している。
【００３９】
色変更情報合成部４３は、詳細には、色変更情報に基づいて、色変更（色変換）を行った領域（座標）に対して、画像の色の間引きパターンを利用して色変更内容情報、色変更タイプ等を含んだ色変更情報を埋め込む。
【００４０】
色変更情報合成部４３は、この間引きパターンとしては、例えば、図５に示すような間引きパターンを用いている。この間引きパターンは、例えば、４ｘ４のマトリックス画像の白字部分の画素を抜くことで色変更を行った情報を示す間引きパターンとなっている。色変更情報合成部４３は、図５に示した間引きパターンを用いて、実際のカラー画像データに対して、色変換情報を合成し、例えば、図６に示すようなカラー画像データとする。図６のカラー画像データは、ハッチングの行われている三角形のオブジェクトに対して、図５の間引きパターンを適用して画像を間引いたカラー画像データとなっている。
【００４１】
また、間引く対象がＲＧＢ（赤（Red）、緑（Green）、青（Blue））と三成分あるのに対して、間引きを行うのは、使用されている少なくとも一成分で十分であるので、間引く対象が、どの成分であるかによって、間引きパターンが向いている方向（０°、９０°、１８０°、２７０°）を示すのに使用できる。そこで、色変更情報合成部４３は、上記４種類の色変更タイプ（Ｃ型、Ｐ型、Ｄ型、Ｔ型）の方向が分かるような間引き方法で、間引きパターンを生成してもよい。なお、この場合、間引きパターンは、正方形の４ｘ４マトリックスに限るものではなく、より大きなマトリックス、間引き頻度の異なるパターン等の種々のパターンを用いることができる。例えば、間引きパターンサイズを４×４マトリックスよりも大きく、より間引きの量を減らすと、画質への影響をより一層少なくすることができる。このとき、書込解像度が低いほど１マス（画素）当たりの間引きパターンの大きさは大きくなるため、画質への影響も大きくなる。例えば、６００ｄｐｉよりも３００ｄｐｉの場合の方が、画質への影響が大きいため、より大きい間引きパターンとして、間引きも小さくすることで、画質への影響を少なくする。なお、以下の説明では、１マス当たりの大きさを、大きくしているが、実際のマスの大きさは、一般的な画像出力、例えば、印刷出力時の解像度で６００ｄｐｉとなるため、１マス（１画素）０．０４３２［ｍｍ］程度の大きさとなる。
【００４２】
そして、間引きパターンへ色変更タイプを入れ込んだ合成間引きパターンは、例えば、図７に示すような合成間引きパターンを用いることができる。図７の合成間引きパターンは、図５に示した基準パターン（４×４のマトリックス）を、２つずつ合計４つを縦横に並べた基準パターン２×２のマトリックスが用いられている。図７の合成間引きパターンは、基準パターンの方向を回転することで、回転角度に応じた角度で、色変更タイプを表す。図７の合成間引きパターンは、４つの基準パターンのうち、右下の基準パターンを右方向に、０°、９０°、１８０°、２７０°回転させることで、色変更タイプのＣ型（図７（ａ））、Ｐ型（図７（ｂ））、Ｄ型（図７（ｃ））、Ｔ型（図７（ｄ））を表している。
【００４３】
そして、間引きパターンへ色変更情報として色変更タイプを入れた合成間引きパターンは、基準パターンの方向と回転した基準パターンが、含まれていればよいので、４つの基準パターンを２×２で用いた正方形に限るものではない。例えば、合成間引きパターンは、基準パターンを３つ用いた２×１、４つ用いた３×１のマトリックス等であってもよい。この合成間引きパターンは、２ｂｉｔ分の情報を含ませることができる。例えば、図７（ａ）のＣ型を除くと、図７（ｂ）のＰ型、図７（ｃ）のＤ型、図７（ｄ）のＴ型の全ての色変更タイプを含ませることができる。なお、図７（ａ）のＣ型の場合、色変更を行わないので、情報を含ませないことで、対応することができる。
【００４４】
なお、画像出力として、印刷出力を行う場合、一般的に、トナー、インク等の印刷剤を削減するセーブ印刷モード（トナーセーブ印刷等）があり、画像に対して単純な間引きを行う場合がある。このようなセーブ印刷モードの場合、その印刷剤セーブパターンを利用して、色変更情報（色変更タイプ）を埋め込んでもよい。この場合、基準パターンの回転０°を、色変更情報を載せていないときとすることで、対応することができる。
【００４５】
色変更情報合成部４３は、上述のような間引きパターンを色変換したカラー画像データに合成し、合成後のカラー画像データを出力する。
【００４６】
複合装置１、すなわち、画像処理装置４０は、操作表示部８に設けられた色変更情報合成部４３によって色変更情報の合成を行う色変更情報合成機能のオン／オフを指示する合成設定操作キー（合成設定手段）を備えていてもよい。
【００４７】
色変更情報合成部４３は、合成設定操作キーによって色変更情報合成機能がオンに設定されているときにのみ、色変更情報をカラー画像データに合成する色変更情報合成機能を実行する。
【００４８】
そして、画像出力装置５０は、図３に示したように、上記画像処理装置４０と画像出力部５１とで構築されたものとなっている。
【００４９】
画像出力部５１は、上記操作表示部８のディスプレイ８ｂ、プリンタ部４により構築されており、画像処理装置４０の処理したカラー画像データに基づいて、画像を表示出力、印刷出力する。
【００５０】
さらに、複合装置１は、図４に示す画像復元装置６０が構築され、画像復元装置６０として、画像データ取得部６１、情報取得部６２及び色復元部６３が構築されており、情報取得部６２は、合成情報読取部６２ａと変更前色探索部６２ｂが構築されている。
【００５１】
画像データ取得部６１は、スキャナ部３及びスキャナＩ／Ｆ２７で構築されており、原稿のカラー画像を読み取ってカラー画像データを、情報取得部６２及び色復元部６３へ出力する。また、画像データ取得部６１は、ネットワークＩ／Ｆ２６により構築され、外部の情報処理装置等から送られてくるカラー画像データを取得する。したがって、画像データ取得部６１は、画像読取手段として機能している。
【００５２】
情報取得部６２は、ＣＰＵ２１により構築され、画像データ取得部６１の出力するカラー画像データの所定領域毎から該カラー画像データに対して実施されている色変更内容（色変換内容）を示す色変更情報（色変換内容情報）を取得する。したがって、情報取得部６２は、情報取得手段として機能している。
【００５３】
情報取得部６２の合成情報読取部６２ａは、ＣＰＵ２１により構築されている。合成情報読取部６２ａは、合成情報読取部（色変換タイプ取得手段）６２ａと変更前色探索部（色特定手段）６２ｂを備えている。
【００５４】
合成情報読取部６２ａは、色変更情報（色変換内容情報）として、予め設定されている複数の色変換タイプのいずれの色変換タイプのカラー画像データに対応するか否かを示す情報を取得し、色変換タイプ取得手段として機能している。
【００５５】
合成情報読取部６２ａは、具体的には、前記色変換タイプとして、カラーユニバーサルデザイン機構の定める色弱者タイプに対応するかを取得する。
【００５６】
変更前色探索部６２ｂは、前記色変換タイプ及び前記カラー画像データに基づいて、前記領域の該カラー画像データの元の色を特定し、色特定手段として機能している。
【００５７】
すなわち、合成情報読取部６２ａは、入力されるカラー画像データから各ＲＧＢ成分のいずれかから図３の色変更情報合成部４３で合成された間引きパターンを探索する。合成情報読取部６２ａは、カラー画像データに間引きパターンが存在すると、該間引きパターンが回転している部位を確認する。合成情報読取部６２ａは、間引きパターンに回転している部分が存在しないと、通常のトナーセーブ等による間引きのパターンであるとして、色変更が行われた部分であるとは認識しない。合成情報読取部６２ａは、間引きパターンに回転している部分（パターン）が存在すると、該パターンの回転している角度で、色変換タイプ、すなわち、Ｐ型、Ｄ型、Ｔ型を判定して、その色変換タイプ向け色変更（色変換）が行われていると判定する。合成情報読取部６２ａは、色変更情報の合成の有無を判定して、合成されていると判定したときには、カラー画像データにおける色変更部位を示す色変更部位情報と色変更タイプを、変更前色探索部６２ｂへ出力する。
【００５８】
変更前色探索部６２ｂは、色変更部位情報と色変更タイプ及び入力カラー画像データから、色変更部位情報が示す部位の入力カラー画像データに対して、色変換部４２で変換される前のカラー画像データの色（以下、適宜、変換前の色という。）を特定する。変更前色探索部６２ｂは、特定した変更前の色と色変更部位情報を色変更内容情報として色復元部６３へ出力する。
【００５９】
なお、変更前色探索部６２ｂは、色変換部４２における色変換方法が特定されていないため、入力カラー画像データから変換前の色を導き出せる方法であればどのような方法で変換前の色を特定してもよい。例えば、変更前色探索部６２ｂは、まず、色変更を行う前の色成分の取りうる値を逆算し、色変更された対象の近傍のオブジェクトの色を探索する。次に、変更前色探索部６２ｂは、色変更を行う前の色成分の取りうる値が、探索した近辺のオブジェクトと混同色であれば、その値が変換前の色と判定する。この場合、色変換部４２による色変換時には、通常、具体的な定数を含むアルゴリズムで変換を行うため、その定数を使用して逆算することで元の配色を求めることができる。
【００６０】
色復元部６３は、ＣＰＵ２１により構築されており、画像データ取得部６１からのカラー画像データと情報取得部６２からの変更内容情報に基づいて、カラー画像データの領域（部位）毎に逆色変換を施して色変換前のカラー画像データに復元する。したがって、色復元部６３は、復元手段として機能している。すなわち、色復元部６３は、変更内容情報に基づいて、カラー画像データのうち、色変更が行われている領域（部位）についてのみ、変更内容情報の変換前の色情報に基づいて、逆色変換を行って、色変換前のカラー画像データに復元する。
【００６１】
複合装置１は、この画像復元装置６０の復元したカラー画像データに基づいて、プリンタ部４で、被記録媒体へカラー画像を印刷出力し、また、操作表示部８のディスプレイ８ｂへカラー画像を表示出力する。
【００６２】
また、複合装置１、すなわち、画像復元装置６０は、操作表示部８に設けられた色復元部６３によって色復元を行う色復元機能のオン／オフを指示する復元設定操作キー（復元設定手段）を備えていてもよい。
【００６３】
この場合、色復元部６３は、復元設定操作キーによって色復元機能がオンに設定されているときにのみ、変更内容情報に基づくカラー画像データを変換前の色へ復元する色復元機能を実行する。
【００６４】
なお、上記説明では、複合装置１は、カラー原稿をスキャナ部３で読み取ってカラー画像データを取得した場合について、説明したが、コンピュータや外部スキャナ装置等の情報処理装置からカラー画像データを取得した場合にも同様に適用することができる。
【００６５】
また、上記説明では、複合装置１が、画像復元装置６０を搭載しているものとして説明しているが、画像復元装置６０は、情報処理装置がカラー画像データを取得する場合には、該情報処理装置に搭載されていてもよい。
【００６６】
次に、本実施例の作用を説明する。本実施例の複合装置１は、変更後の画像を元画像に戻すための画像情報を、画質への影響を抑制しつつ該変更後の画像に載せる。
【００６７】
複合装置１は、その画像処理装置４０で、入力カラー画像データに対して、適宜の領域毎に、色変換を行ったカラー画像データを生成し、色変換の内容を示す色変更情報（色変換内容情報）を色変更後のカラー画像データに合成する。
【００６８】
また、複合装置１は、その画像出力装置５０で、画像処理装置４０の合成したカラー画像データに基づいて、画像を表示出力、印刷出力する。
【００６９】
さらに、複合装置１は、画像復元装置６０で、色変更情報の合成されたカラー画像データを、色変換前のカラー画像データに復元する。
【００７０】
そして、本実施例の複合装置１は、色変換タイプとして、カラーユニバーサルデザイン機構の定める色弱者タイプを用いて色変換を行う。
【００７１】
すなわち、複合装置１は、カラー画像データが入力されると、画像処理装置４０が、図８に示すように、色変換・情報合成処理を行う。すなわち、画像処理装置４０は、入力される画像データに対して、配色変更検定部４１が、所定領域（部位）毎に、画像に対して色変更を行うべき部位があるか探索する（ステップＳ１０１）。
【００７２】
配色変更検定部４１は、この色変更を行うべき部位（領域）があるか否かの探索を、例えば、上述のように、入力されるカラー画像データと色変更タイプ（Ｃ型、Ｐ型、Ｄ型、Ｔ型の４種）から、混同色を探索して、色変換対象領域であるか否かの判断を行う。
【００７３】
配色変更検定部４１は、色変更を行うべき部位があるかチェックする（ステップＳ１０２）。ステップＳ１０２で、色変更を行うべき部位が無いと（ステップＳ１０２で、ＮＯのとき）、画像処理装置４０は、配色変更検定部４１が、色変更を行わない旨の色変更情報を出力して、そのまま色変更・情報合成処理を終了する。
【００７４】
ステップＳ１０２で、色変更を行うべき部位があると（ステップＳ１０２で、ＹＥＳのといき）、配色変更検定部４１は、色変更を行う旨と色変更内容（色変換内容）を示す色変更情報（色変換内容情報）を色変換部４２及び色変更情報合成部４３へ出力する。色変換部４２は、色変更情報に基づいて、入力されるカラー画像データに対して上記領域毎に上述のように色変換を行い、色変換後のカラー画像データを色変更情報合成部４３へ出力する（ステップＳ１０３）。
【００７５】
色変更情報合成部４３は、操作表示部８の合成設定操作キーから色変更情報合成機能のオンを示す合成指示信号が入力されているか否かによって色変更情報を合成するか判断する（ステップＳ１０４）。
【００７６】
ステップＳ１０４で、色変更情報の合成を行わないとき（ステップＳ１０４で、ＮＯのとき）、画像処理装置４０は、色変更情報合成部４３が、色変更情報の合成を行うことなく、色変換部４２からのカラー画像データを出力する。
【００７７】
ステップＳ１０４で、色変更情報の合成を行うとき（ステップＳ１０４で、ＹＥＳのとき）、色変更情報合成部４３は、色変更情報をカラー画像データに埋め込む合成を行って、色変換・情報合成処理を終了する（ステップＳ１０５）。色変更情報合成部４３は、この色変換情報の合成において、上述のように、例えば、色変更（色変換）を行った領域（座標）に対して、画像の色の間引きパターンを利用して色変更内容情報、色変更タイプ等を含んだ色変更情報を埋め込む。色変更情報合成部４３は、詳細には、色変更情報に基づいて、色変更（色変換）を行った領域（座標）に対して、画像の色の間引きパターンを利用して色変更内容情報、色変更タイプ等を含んだ色変更情報を埋め込んで合成する。
【００７８】
複合装置１は、色変更情報合成部４３が合成処理したカラー画像データを画像出力部５１へ渡して、画像出力部５１が、該カラー画像データに基づいて、ディスプレイ８ｂへ画像を表示出力したり、プリンタ部４で、被記録媒体に画像を印刷出力する。
【００７９】
そして、複合装置１は、図９に示すように、画像取得・色復元処理を、図９に示すように実行する。
【００８０】
複合装置１は、スキャナ部３または情報処理装置等からカラー画像データを取得すると、該カラー画像データに色変更情報が含まれているかチェックする。複合装置１は、色変更情報が含まれていると、該色変更情報に基づいて、カラー画像データを変換前の色に復元する。
【００８１】
すなわち、複合装置１は、画像データ取得部６１が、スキャナ部３でカラー原稿を読み取って、または、情報処理装置からネットワークＩ／Ｆ２６を介して、カラー画像データを取得する。複合装置１は、画像データ取得部６１がカラー画像データを取得すると、情報取得部６２ガ、該カラー画像データから色変更情報の読み取りを行う（ステップＳ２０１）。
【００８２】
情報取得部６２は、色変更情報の読取結果から色変更が行われている領域（部位）があるかチェックする（ステップＳ２０２）。情報取得部６２は、カラー画像データの部位毎に、合成情報読取部６２ａが上記色変更情報合成部４３で合成された間引きパターンが存在するか確認し、色変更部位情報を変更前色探索部６２ｂへ出力する。
【００８３】
ステップＳ２０２で、色変更が行われている部位があると（ステップＳ２０２で、ＹＥＳのとき）、変更前色探索部６２ｂは、色変更部位情報と色変更タイプ及び入力カラー画像データから、色変更部位情報が示す部位の入力カラー画像データに対して、色変換部４２で変換される前のカラー画像データの色（変換前の色）を特定する（ステップＳ２０３）。
【００８４】
色復元部６３は、復元設定操作キーによって色復元機能がオンに設定されているかチェックする（ステップＳ２０４）。
【００８５】
ステップＳ２０４で、色復元機能がオンであると（ステップＳ２０４で、ＹＥＳのとき）、色復元部６３は、カラー画像データの領域（部位）毎に逆色変換を施して色変換前のカラー画像データに復元して、画像取得・色復元処理を終了する（ステップＳ２０５）。すなわち、色復元部６３は、画像データ取得部６１からのカラー画像データと情報取得部６２からの変更内容情報に基づいて、カラー画像データの領域（部位）毎に、カラー画像データに対して逆色変換を施して、該部位のカラー画像データを色変換前のカラー画像データに復元する。
【００８６】
ステップＳ２０４で、色復元機能がオフであると（ステップＳ２０４で、ＮＯのとき）、色復元部６３は、色復元処理を行うことなく、入力されるカラー画像データをそのまま出力する。
【００８７】
また、ステップＳ２０２で、色変更が行われている部位がないとき（ステップＳ２０２で、ＮＯのとき）、複合装置１は、色復元処理を行うことなく、そのまま画像取得・色復元処理を終了する。
【００８８】
そして、複合装置１は、画像復元装置６０で処理された画像データに基づいて、プリンタ部４で、用紙等の被記録媒体に画像を印刷出力し、また、操作表示部８のディスプレイ８ｂへ画像を表示出力する。
【００８９】
したがって、ユーザの意図に応じて、色復元機能をオン／オフすることで、色弱者等の色パターンに合わせて色変更されたカラー画像データを、色変更前のカラー画像データに復元することができる。そして、復元後のカラー画像データに基づいて、画像を表示出力や印刷出力することができ、利用性を向上させることができる。
【００９０】
なお、上記説明においては、色空間は一般的なオフィス文書に用いられることの多いｓＲＧＢ値を用いた場合について説明したが、ＲＧＢ、ｓＲＧＢに限るものではない。例えば、最終的な印刷出力（画像出力）時には、画像データを色空間ＣＭＹで扱うことが多いため、色空間は、ＣＭＹであってもよいし、Ｌａｂ空間であってもよい。
【００９１】
このように、本実施例の複合装置１は、その画像処理装置４０が、カラー画像データの所定領域毎に色変換を行う色変換対象領域であるか否か及び該色変換対象領域であるときの色変換内容を判断する配色変更検定部（変換判断手段）４１と、前記色変換判断結果に基づいて、前記カラー画像データに対して前記領域毎に色変換を行う色変換部（色変換手段）４２と、前記領域毎の前記色変換内容に関する色変換内容情報を、該各領域の前記色変換処理後のカラー画像データに合成する色変更情報合成部（合成手段）４３と、を備えている。
【００９２】
したがって、変更後の画像を元画像に戻すための画像情報を、画質への影響を抑制しつつ該変更後画像に載せることができ、画質の低下を抑制しつつ、変更後の画像の有効利用を図ることができる。
【００９３】
また、本実施例の複合装置１は、その画像処理装置４０が、カラー画像データの所定領域毎に色変換を行う色変換対象領域であるか否か及び色変換対象領域であるときの色変換内容を判断する変換判断処理ステップと、前記色変換判断結果に基づいて、前記カラー画像データに対して前記領域毎に色変換を行う色変換処理ステップと、前記領域毎の前記色変換内容に関する色変換内容情報を、該各領域の前記色変換処理後のカラー画像データに合成する合成処理ステップと、を有する画像処理方法を実行する。
【００９４】
したがって、変更後の画像を元画像に戻すための画像情報を、画質への影響を抑制しつつ該変更後画像に載せることができ、画質の低下を抑制しつつ、変更後の画像の有効利用を図ることができる。
【００９５】
さらに、本実施例の複合装置１は、その画像処理装置４０が、ＣＰＵ２１等のコンピュータに、カラー画像データの所定領域毎に色変換を行う色変換対象領域であるか否か及び色変換対象領域であるときの色変換内容を判断する変換判断処理と、前記色変換判断結果に基づいて、前記カラー画像データに対して前記領域毎に色変換を行う色変換処理と、前記領域毎の前記色変換内容に関する色変換内容情報を、該各領域の前記色変換処理後のカラー画像データに合成する合成処理と、を実行させるプログラムを搭載している。
【００９６】
したがって、変更後の画像を元画像に戻すための画像情報を、画質への影響を抑制しつつ該変更後画像に載せることができ、画質の低下を抑制しつつ、変更後の画像の有効利用を図ることができる。
【００９７】
なお、本実施例の複合装置１の画像処理装置４０においては、前記配色変更検定部４１が、前記カラー画像データの前記領域毎に、該カラー画像データが予め設定されている複数の色変換タイプのいずれかのカラー画像データに対応するか否かに基づいて前記色変換内容を判断している。
【００９８】
このようにすると、容易かつ適切に色変換対象領域であるか否か及び色変換内容を判断することができ、変更後の画像を元画像に戻すための画像情報を、画質への影響を抑制しつつ該変更後画像に適切に載せることができる。
【００９９】
また、本実施例の複合装置１の画像処理装置４０においては、前記配色変更検定部４１が、前記色変換タイプとして、カラーユニバーサルデザイン機構の定める色弱者タイプを用いて前記色変換内容を判断している。
【０１００】
このようにすると、容易かつ適切に、色弱者に対応した色変換対象領域であるか否か及び色変換内容を判断することができ、色弱者用に変更した画像を元画像に戻すための画像情報を、画質への影響を抑制しつつ該変更後画像に適切に載せることができる。
【０１０１】
さらに、本実施例の複合装置１の画像処理装置４０においては、前記色変更情報合成部４３が、前記領域のカラー画像データを間引く間引きパターンを前記色変換内容に基づいて変更することで該カラー画像データに前記色変換内容情報を合成している。
【０１０２】
このようにすると、変更後の画像を元画像に戻すための画像情報を、画質への影響をより一層抑制しつつ該変更後画像に載せることができ、画質の低下をより一層抑制しつつ、変更後の画像の有効利用を図ることができる。
【０１０３】
また、本実施例の複合装置１においては、その画像処理装置４０が、前記色変更情報合成部４３による前記カラー画像データへの前記色変換内容情報の合成／非合成を設定する操作表示部８の合成設定操作キー（合成設定手段）を、さらに備え、前記色変更情報合成部４３が、前記合成設定操作キーで合成が設定されていると、前記カラー画像データへの前記色変換内容情報の合成を行う。
【０１０４】
このようにすると、ユーザの意図に応じて、カラー画像データへの色変更内容情報の合成／非合成を行って、より一層の劣化を防止することができる。
【０１０５】
そして、本実施例の複合装置１は、その画像出力装置５０が、カラー画像データの所定領域毎に色変換を行う色変換対象領域であるか否か及び該色変換対象領域であるときの色変換内容を判断する配色変更検定部（変換判断手段）４１と、前記色変換判断結果に基づいて、前記カラー画像データに対して前記領域毎に色変換を行う色変換部（色変換手段）４２と、前記領域毎の前記色変換内容に関する色変換内容情報を、該各領域の前記色変換処理後のカラー画像データに合成する色変更情報合成部（合成手段）４３と、前記色変更情報合成部４３で前記色変換内容情報の合成された前記カラー画像データに基づいて画像を出力媒体に出力する画像出力部（画像出力手段）５１と、を備えている。
【０１０６】
したがって、変更後の画像を元画像に戻すための画像情報を、画質への影響を抑制しつつ該変更後画像に載せて出力することができ、画質の低下を抑制しつつ、変更後の画像の有効利用を図ることができる。
【０１０７】
なお、本実施例の複合装置１においては、その画像出力装置５０が、カラー画像データの所定領域毎に色変換を行う色変換対象領域であるか否か及び色変換対象領域であるときの色変換内容を判断する変換判断処理ステップと、前記色変換判断結果に基づいて、前記カラー画像データに対して前記領域毎に色変換を行う色変換処理ステップと、前記領域毎の前記色変換内容に関する色変換内容情報を、該各領域の前記色変換処理後のカラー画像データに合成する合成処理ステップと、前記合成処理ステップで前記色変換内容情報の合成された前記カラー画像データに基づいて画像を出力媒体に出力する画像出力処理ステップと、を有する画像出力方法を実行している。
【０１０８】
したがって、変更後の画像を元画像に戻すための画像情報を、画質への影響を抑制しつつ該変更後画像に載せて出力することができ、画質の低下を抑制しつつ、変更後の画像の有効利用を図ることができる。
【０１０９】
また、本実施例の複合装置１においては、その画像出力装置５０が、ＣＰＵ２１等のコンピュータに、カラー画像データの所定領域毎に色変換を行う色変換対象領域であるか否か及び色変換対象領域であるときの色変換内容を判断する変換判断処理と、前記色変換判断結果に基づいて、前記カラー画像データに対して前記領域毎に色変換を行う色変換処理と、前記領域毎の前記色変換内容に関する色変換内容情報を、該各領域の前記色変換処理後のカラー画像データに合成する合成処理と、前記合成処理で前記色変換内容情報の合成された前記カラー画像データに基づいて画像を出力媒体に出力する画像出力処理と、を実行させるプログラムを搭載している。
【０１１０】
したがって、変更後の画像を元画像に戻すための画像情報を、画質への影響を抑制しつつ該変更後画像に載せて出力することができ、画質の低下を抑制しつつ、変更後の画像の有効利用を図ることができる。
【０１１１】
さらに、本実施例の複合装置１の画像出力装置５０においては、前記配色変更検定部４１が、前記カラー画像データの前記領域毎に、該カラー画像データが予め設定されている複数の色変換タイプのいずれかのカラー画像データに対応するか否かに基づいて前記色変換内容を判断している。
【０１１２】
したがって、容易かつ適切に色変換対象領域であるか否か及び色変換内容を判断することができ、変更後の画像を元画像に戻すための画像情報を、画質への影響を抑制しつつ該変更後画像に適切に載せることができる。
【０１１３】
また、本実施例の複合装置１の画像出力装置５０においては、前記配色変更検定部４１が、前記色変換タイプとして、カラーユニバーサルデザイン機構の定める色弱者タイプを用いて前記色変換内容を判断している。
【０１１４】
したがって、容易かつ適切に、色弱者に対応した色変換対象領域であるか否か及び色変換内容を判断することができ、色弱者用に変更した画像を元画像に戻すための画像情報を、画質への影響を抑制しつつ該変更後画像に適切に載せることができる。
【０１１５】
さらに、本実施例の複合装置１の画像出力装置５０においては、前記色変更情報合成部４３が、前記領域のカラー画像データを間引く間引きパターンを前記色変換内容に基づいて変更することで該カラー画像データに前記色変換内容情報を合成している。
【０１１６】
したがって、変更後の画像を元画像に戻すための画像情報を、画質への影響をより一層抑制しつつ該変更後画像に載せることができ、画質の低下をより一層抑制しつつ、変更後の画像の有効利用を図ることができる。
【０１１７】
また、本実施例の複合装置１においては、その画像出力装置５０が、前記色変更情報合成部４３による前記カラー画像データへの前記色変換内容情報の合成／非合成を設定する操作表示部８の合成設定操作キー（合成設定手段）を、さらに備え、前記色変更情報合成部４３が、前記合成設定操作キーで合成が設定されていると、前記カラー画像データへの前記色変換内容情報の合成を行っている。
【０１１８】
したがって、ユーザの意図に応じて、カラー画像データへの色変更内容情報の合成／非合成を行って、画質の劣化をより一層防止することができる。
【０１１９】
そして、本実施例の複合装置１は、その画像復元装置６０が、カラー画像データを取得する画像データ取得部（画像データ取得手段）６１と、前記画像データ取得部６１の取得した前記カラー画像データの所定領域毎に、該カラー画像データに対して実施されている色変換内容を示す色変換内容情報を取得する情報取得部（情報取得手段）６２と、前記色変換内容情報に基づいて、前記カラー画像データの前記領域毎に逆色変換を施して色変換前のカラー画像データに復元する色復元部（復元手段）６３と、を備えている。
【０１２０】
したがって、画質の低下を抑制しつつ色変換内容情報の載せられているカラー画像データから色変換前のカラー画像データを復元することができ、カラー画像データの利用性を向上させることができる。
【０１２１】
なお、本実施例の複合装置１においては、その画像復元装置６０が、カラー画像データを取得する画像データ取得処理ステップと、前記画像データ取得処理ステップで取得された前記カラー画像データの所定領域毎に、該カラー画像データに対して実施されている色変換内容を示す色変換内容情報を取得する情報取得処理ステップと、前記色変換内容情報に基づいて、前記カラー画像データの前記領域毎に逆色変換を施して色変換前のカラー画像データに復元する復元処理ステップと、を有する画像復元方法を実行している。
【０１２２】
したがって、画質の低下を抑制しつつ色変換内容情報の載せられているカラー画像データから色変換前のカラー画像データを復元することができ、カラー画像データの利用性を向上させることができる。
【０１２３】
また、本実施例の複合装置１においては、その画像復元装置６０が、ＣＰＵ２１等のコンピュータに、カラー画像データを取得する画像データ取得処理と、前記画像データ取得処理で取得された前記カラー画像データの所定領域毎に、該カラー画像データに対して実施されている色変換内容を示す色変換内容情報を取得する情報取得処理と、前記色変換内容情報に基づいて、前記カラー画像データの前記領域毎に逆色変換を施して色変換前のカラー画像データに復元する復元処理と、を実行させるプログラムを搭載している。
【０１２４】
したがって、画質の低下を抑制しつつ色変換内容情報の載せられているカラー画像データから色変換前のカラー画像データを復元することができ、カラー画像データの利用性を向上させることができる。
【０１２５】
さらに、本実施例の複合装置１の画像復元装置６０においては、前記画像データ取得部６１が、原稿のカラー画像を読み取って前記カラー画像データを取得している。
【０１２６】
したがって、色変換内容情報の載せられているカラー画像を読み取ったカラー画像データから色変換前のカラー画像データを復元することができ、カラー画像データの利用性を向上させることができる。
【０１２７】
また、本実施例の複合装置１の画像復元装置６０においては、前記情報取得部６２が、前記色変換内容情報として、予め設定されている複数の色変換タイプのいずれかのカラー画像データに対応するか否かを示す情報を取得する色変換情報読取部（色変換タイプ取得手段）６２ａと、前記色変換タイプ及び前記カラー画像データに基づいて、前記領域の該カラー画像データの元の色を特定する変更前色探索部（色特定手段）６２ｂと、を備えている。
【０１２８】
したがって、画質の低下を抑制しつつ色変換内容情報の載せられているカラー画像データから色変換前のカラー画像データをより一層簡単かつ適切に復元することができ、カラー画像データの利用性を向上させることができる。
【０１２９】
さらに、本実施例の複合装置１の画像復元装置６０においては、前記色変換情報読取部６２ａが、前記色変換タイプとして、カラーユニバーサルデザイン機構の定める色弱者タイプを取得している。
【０１３０】
したがって、画質の低下を抑制しつつ色弱者用に変更された画像の色変換内容情報の載せられているカラー画像データから色変換前のカラー画像データをより一層簡単かつ適切に復元することができ、カラー画像データの利用性を向上させることができる。
【０１３１】
また、本実施例の複合装置１においては、その画像復元装置６０が、前記色復元部６３による前記変換前のカラー画像データへの復元／非復元を設定する操作表示部８の復元設定操作キー（復元設定手段）を、さらに備え、前記色復元部６３が、前記復元設定操作キーで復元が設定されていると、前記変換前のカラー画像データへの復元を行っている。
【０１３２】
したがって、ユーザの意図に応じて、色変換内容情報の載せられているカラー画像データから色変換前のカラー画像データを復元することができ、カラー画像データの利用性をユーザの意図に応じてより一層向上させることができる。
【実施例２】
【０１３３】
図１０〜図１６は、本発明の本発明の画像処理装置及び画像形成装置の第２実施例を示す図であり、図１０及び図１１は、本発明の画像処理装置及び画像形成装置の第２実施例を適用した複合装置１００の画像処理装置１１０、画像出力装置１２０及び画像復元装置１３０としての機能ブロック図である。
【０１３４】
なお、本実施例は、上記第１実施例の複合装置１と同様の複合装置１００に適用したものである。本実施例の説明においては、複合装置１００の外観図及びハードウェア構成図を省略し、また、第１実施例と同様の構成部分については、第１実施例で用いた符号をそのまま用いて説明する。
【０１３５】
図１０及び図１１は、本実施例の複合装置１００に、本実施例の画像処理プログラムが導入されることで、構築される機能ブロックを示す図である。すなわち、複合装置１００は、画像処理方法を実行する各プログラムが導入されることで、図１０に示す画像処理装置１１０、画像出力装置１２０及び図１１に示す画像復元装置１３０が構築される。なお、画像復元装置１３０は、画像処理装置１１０に画像復元機能を付加した装置であり、画像処理装置の概念に含まれる。
【０１３６】
複合装置１００は、図１０に示すように、画像処理装置１１０として、第１実施例と同様の配色変更検定部４１と色変換部４２が構築されるとともに、色変換有画像合成部１１１及び色変換情報画像生成部１１２が構築され。また、複合装置１００は、画像出力装置１２０として、上記画像処理装置１１０と画像出力部１２１が構築される。さらに、複合装置１００は、図１１に示すように、画像復元装置１３０として、第１実施例と同様の画像データ取得部６１と色復元部６３が構築されるとともに、色変換有無情報取得部１３１と情報取得部１３２が構築される。
【０１３７】
配色変更検定部４１は、第１実施例と同様に、ＣＰＵ２１及びＲＡＭ２３等で構築されており、カラー画像データがネットワークＩ／Ｆ２６を介して外部の情報処理装置から、また、スキャナＩ／Ｆ２７を介してスキャナ部３から入力される。配色変更検定部４１は、入力されるカラー画像データの所定領域毎に色変換を行う色変換対象領域であるか否かと色変換対象領域であるときの色変換内容を判断して、判断結果を色変更情報として色変換部４２及び色変換情報画像生成部１１２へ出力する。したがって、配色変更検定部４１は、変換判断手段として機能している。また、配色変更検定部４１は、第１実施例と同様に、カラー画像データの領域毎に、該カラー画像データが予め設定されている複数の色変換タイプのいずれかの色変換タイプのカラー画像データに対応するか否かに基づいて色変換対象領域であるか否か及び色変換内容を判断する。さらに、配色変更検定部４１は、この色変換タイプとして、カラーユニバーサルデザイン機構の定める色弱者タイプを用いて色変換対象領域であるか否か及び色変換内容を判断する。配色変更検定部４１は、具体的には、入力されるカラー画像データと、どの色弱者タイプに対応した配色にするかを表す色変更タイプ（Ｃ型、Ｐ型、Ｄ型、Ｔ型の４種）から、混同色を探索して、色の変更を行う／行わない（色変換対象領域であるか否か）の判断を行う。
【０１３８】
なお、配色変更検定部４１の行う色変更対象領域の有無及び色変換タイプの判断は、適宜設定することができ、上記色弱者に関するカラーユニバーサルデザイン機構の方式による判断を用いることもできるし、他の方式の判断であってもよい。
【０１３９】
色変換部４２は、第１実施例と同様に、ＣＰＵ２１により構築されており、配色変更検定部４１からカラー画像データと色変更情報が入力される。色変換部４２は、色変換判断結果である色変更情報に基づいて、入力されるカラー画像データに対して色変換対象の領域毎に色変換を行い、色変換後のカラー画像データを色変換有画像合成部１１１へ出力する。したがって、色変換部４２は、色変換手段として機能している。また、第１実施例の場合と同様に、色変換部４２は、色変更情報が色変更タイプで示されているときには、該色変更タイプに基づいて、色変換の実施の有無と色変換内容を決定し、入力されるカラー画像データに対して必要な色変換処理を行う。さらに、色変換部４２は、色変換タイプが色弱者タイプで示されるときには、該色弱者タイプに基づいて、色変換の実施の有無と色変換内容を決定し、入力されるカラー画像データに対して必要な色変換処理を行う。この場合、色変換部４２は、例えば、色弱者が複数の色同士を容易に識別できるようにするために、輝度成分とそれ以外の２成分のうち、第１軸の成分に応じて、第１軸の成分が所定値以上の場合と、第１軸の成分が所定値未満の場合に区別する。色変換部４２は、第１軸の成分が所定値以上と所定値未満のいずれか一方の場合に、輝度成分を減少させ、他方の場合には、輝度成分を増加させ、また、輝度成分の変化に応じて、第２軸の成分を減少させる等の色変換を行う。
【０１４０】
色変換有画像合成部１１１は、ＣＰＵ２１により構築されており、色変換部４２からカラー画像データが入力されるとともに、色変更情報付加ＯＮ／ＯＦＦ信号が入力される。色変更情報付加ＯＮ／ＯＦＦ信号は、操作表示部８のユーザによる色変更情報を付加するか否かの操作に応じた信号であり、色変換情報画像生成部１１２にも入力される。色変換有画像合成部１１１は、色変更情報付加ＯＮ／ＯＦＦ信号がＯＮのときに、色変換部４２による色変換があることを示す色変換有画像Ｍｇ（図１２参照）をカラー画像データに合成する。なお、色変更情報付加ＯＮ／ＯＦＦ信号は、操作表示部８から入力されるものに限るものではなく、例えば、ネットワークＩ／Ｆ２６に接続されているネットワークＮＷ上のコンピュータ等から送信されてきてもよい。したがって、色変換有画像合成部１１１は、有無画像合成手段として機能している。また、色変換有画像合成部１１１は、カラー画像データに対して、そのページ画像データの対角方向の両角部に、人にとって視認困難な状態の色変換有画像Ｍｇを合成する。この色変換有画像Ｍｇは、例えば、図１２に示すように、複合装置１００のスキャナ部３等で読み取ることが可能であるが、人が視認し難い状態で、カラー画像の形成される用紙Ｐの対角方向の両角部に画像形成される状態で、カラー画像データに合成される。色変換有画像Ｍｇは、例えば、図３に示すように、数ドットの十字マークの画像データで構成され、印刷設定として、例えば、黄色記録材、透明色記録材が設定される。いま、カラー画像データの印刷解像度が６００ｄｐｉであると、１ドットが０．０４２３［ｍｍ］程度の大きさになるため、数ドットで構成される色変換有画像Ｍｇは、人の目では視認し難い大きさとなっており、カラー画像データによる画像に与える影響をほとんど無くすことができる。また、色変換有画像Ｍｇは、黄色や透明で記録させると、より一層人目では視認することが困難なものとなり、カラー画像データによる画像に与える影響をより一層抑制することができる。
【０１４１】
色変換情報画像生成部１１２は、ＣＰＵ２１により構築されており、色変換部４２からの色変換後のカラー画像データと配色変更検定部４１からの色変更情報が入力されるとともに、上記色変更情報付加ＯＮ／ＯＦＦ信号が入力される。色変換情報画像生成部１１２は、色変更情報付加ＯＮ／ＯＦＦ信号がＯＮのとき、前記領域毎に、該領域と前記色変換部４２による色変換内容に関する色変換内容情報を示す色変換情報画像データ（色変換情報画像の画像データ）を生成する。したがって、色変換情報画像生成部１１２は、色変換情報画像生成手段として機能している。
【０１４２】
色変換情報画像生成部１１２は、具体的には、配色変更検定部４１からの色変更情報に基づいて、色変換の行われるカラー画像データの領域毎に、オブジェクトの輪郭を抽出し、色変換内容情報画像の１つである輪郭画像Ｒｇ（図１３参照）の画像データを生成する。また、色変換情報画像生成部１１２は、色色変換パターンを示す色変換パターン画像Ｐｇ（図１３参照）の画像データを生成して、輪郭画像Ｒｇの画像データと合成し、色変換情報画像Ｃｇの画像データとする。
【０１４３】
色変換情報画像生成部１１２は、例えば、領域毎に、図１２に示すような楕円、四角、三角のオブジェクトを含むカラー画像データの場合、例えば、図１３に示すように、該オブジェクトのうち色変換されたオブジェクトに対して、その輪郭を抽出する。色変換情報画像生成部１１２は、抽出した輪郭から輪郭画像Ｒｇの画像データを生成する。図１３では、実線で示されている楕円形が輪郭画像Ｒｇの画像データにより、用紙Ｐに形成された輪郭画像Ｒｇである。なお、輪郭画像Ｒｇは、実線に家具るものではなく、例えば、破線、一点鎖線等であってもよい。
【０１４４】
色変換情報画像生成部１１２は、色変換パターン画像Ｐｇの画像データを生成して、読取画像から識別を速やかに行える位置、例えば、図１３に示すように、用紙Ｐの対角方向の両角部に位置するように輪郭画像Ｒｇの画像データに合成する。
【０１４５】
いま、色変換情報画像生成部１１２は、色変換パターン画像Ｐｇとして、色変換が色弱者タイプに合わせて行われるため、色変換パターン画像Ｐｇも、色弱者タイプに合わせて、例えば、図１４に示すような画像を生成する。
【０１４６】
色変換情報画像生成部１１２は、上記色弱者タイプに対応した色変更タイプに合わせて、例えば、Ｄ型には、図１４（ａ）に示すパターン画像、Ｔ型には、図１４（ｂ）に示すパターン画像、Ｐ型には、図１４（ｃ）に示すパターン画像を、それぞれ予め用意している。色変換情報画像生成部１１２は、配色変更検定部４１からの色変更情報から色変更タイプを取得して、該色変更タイプに応じたパターン画像を、色変換パターン画像Ｐｇとして生成する。
【０１４７】
色変換情報画像生成部１１２は、上記色変換パターン画像Ｐｇを、図１３に示すように、輪郭画像データＲｇの対角方向の両角部に位置する状態で合成する。複合装置１００は、この合成画像に基づいて、例えば、画像の出力媒体が図１４に示すように用紙Ｐであると、用紙Ｐの一面を表面、他面を裏面として、表面に合成画像に基づいて、輪郭画像Ｒｇと色変換パターン画像Ｐｇからなる色変換情報画像Ｃｇを記録出力する。この色変換パターン画像Ｐｇは、記録された用紙Ｐの読み取りが上下左右のいずれの方向から読み取られるかがわからないため、いずれの方向から読み取りが行われても、いずれのパターンの色変換パターン画像Ｐｇであるかが分かるパターン画像となっている。
【０１４８】
画像出力部１２１は、上記操作表示部８のディスプレイ８ｂ、プリンタ部４により構築されている。画像出力部１２１は、画像処理装置１１０の処理したカラー画像データ及び色変換情報画像Ｃｇの画像データに基づいて、画像を、表示画面や用紙Ｐ等の出力媒体の一面と他面に、表示出力、印刷出力する。画像出力部１２１は、一般的に、図１２及び図１３に示すように、用紙Ｐの一面（表面）に、色変換の行われたカラー画像データに基づくから画像が印刷出力する。そして、画像出力部１２１は、該用紙Ｐの他面（裏面）に、色変換情報画像Ｃｇの画像データに基づく色変換パターン画像Ｐｇと輪郭画像Ｒｇを印刷出力する。
【０１４９】
そして、複合装置１００は、上記出力した色変換されたカラー画像データのカラー画像から、元のカラー画像データを、図１１に示す画像復元装置１３０で復元する。
【０１５０】
画像復元装置１３０は、上述のように、本実施例の画像処理プログラムが導入されることで、第１実施例と同様の画像データ取得部６１と色復元部６３及び色変換有無情報取得部１３１と情報取得部１３２が構築される。さらに、情報取得部１３２は、色変換情報取得部１３３、色変換内容取得部１３４及び変更前色探索部１３５が構築される。
【０１５１】
画像データ取得部６１は、第１実施例と同様に、スキャナ部３及びスキャナＩ／Ｆ２７で構築されており、原稿（出力媒体）の一面（表面）のカラー画像を読み取ってカラー画像データ（表）を、色変換有無情報取得部１３１へ出力する。また、画像データ取得部６１は、ネットワークＩ／Ｆ２６により構築され、外部の情報処理装置等から送られてくるカラー画像データを取得する。したがって、画像データ取得部６１は、画像データ取得手段として機能している。
【０１５２】
色変換有無情報取得部１３１は、ＣＰＵ２１により構築されており、画像データ取得部６１の取得したカラー画像データから、該カラー画像データに対して色変換が施されているか否かを示す色変換有画像Ｍｇを取得する。したがって、色変換有無情報取得部１３１は、色変換有無情報取得手段として機能している。すなわち、色変換有無情報取得部１３１は、カラー画像データに、予め設定されている色変換有画像Ｍｇが含まれているか否か判定し、含まれていると、情報取得開始信号を情報取得部１３２の色変換情報取得部１３３へ出力する。
【０１５３】
情報取得部１３２は、スキャナ部３、スキャナＩ／Ｆ２７、ＣＰＵ２１で構築されており、色変換情報取得部１３３、色変換内容取得部１３４及び変更前色探索部１３５を有している。情報取得部１３２は、色変換有無情報取得部１３１から情報取得開始信号があると、出力媒体の他面の画像からカラー画像データに対して実施されている領域と色変換内容（色変更内容）を示す色変換情報を取得する。すなわち、情報取得部１３２は、情報取得手段として機能している。
【０１５４】
色変換情報取得部１３３は、スキャナ部３及びスキャナＩ／Ｆ２７で構築されており、色変換有無情報取得部１３１から情報取得開始指示があると、原稿（出力媒体の用紙Ｐ）の他面（裏面）の画像を読み取って画像データ（裏）を色変換内容取得部１３４へ出力する。この原稿の他面の画像は、色変換パターン画像Ｐｇと輪郭画像Ｒｇを含む画像である。色変換情報取得部１３３は、色変換パターン画像Ｐｇが、原稿の対角方向の両角部に記録出力されているため、原稿の読み取りを開始すると、速やかに色変換パターン画像Ｐｇを読み取って、画像変換パターンを取得することができる。
【０１５５】
色変換内容取得部１３４は、ＣＰＵ２１により構築されており、色変換情報取得部１３３からの画像データに基づいて、カラー画像データに施されている色変換パターンと色変換の行われている領域（輪郭部分）を取得し、変更前色探索部１３５に出力する。この場合、色変換パターンを示す色変換パターン画像Ｐｇが原稿の対角方向の両角部に形成されているため、色変換内容取得部１３４は、速やかに色変換パターンを取得することができる。また、色変換パターン画像Ｐｇが、図１４に示したように、読取方向にかかわらず認識可能な形状であるため、色変換内容取得部１３４は、正確に色変換パターンを取得することができる。色変換内容取得部１３４は、上記取得した色変換パターン（色変更パターン）と色変換されている輪郭（領域：色変更部位情報）を示す色変換情報を変更前色探索部１３５へ出力する。
【０１５６】
変更前色探索部１３５は、ＣＰＵ２１により構築されており、色変換有無情報取得部１３１からの色変換されているカラー画像データ（表）と、色変換内容取得部１３４からの色変換情報と色変更タイプとが入力される。変更前色探索部１３５は、カラー画像データのうち、色変更（色変換）されている領域とその色変換タイプに基づいて、色変換されている領域（オブジェクト）と変換前の色（カラー画像データの色）を探索して特定する。変更前色探索部１３５は、特定した変更前の色と色変更領域（色変更部位）情報を色変更内容情報として色復元部６３へ出力する。
【０１５７】
なお、本実施例の変更前色探索部１３５は、第１実施例の場合と同様に、色変換部４２における色変換方法が特定されていないため、入力カラー画像データから変換前の色を導き出せる方法であればどのような方法で変換前の色を特定してもよい。
【０１５８】
色復元部６３は、ＣＰＵ２１により構築されている。色復元部６３は、色変換有無情報取得部１３１からのカラー画像データと情報取得部１３２の変更前色探索部１３５からの色変更内容情報に基づいて、カラー画像データの領域（部位）毎に逆色変換を施して色変換前のカラー画像データに復元する。したがって、色復元部６３は、復元手段として機能している。すなわち、色復元部６３は、変更内容情報に基づいて、カラー画像データのうち、色変更が行われている領域（部位）についてのみ、変更内容情報の変換前の色情報に基づいて、逆色変換を行って、色変換前のカラー画像データに復元する。
【０１５９】
複合装置１００は、この画像復元装置１３０の復元したカラー画像データに基づいて、プリンタ部４で、用紙等の被記録媒体へカラー画像を印刷出力し、また、操作表示部８のディスプレイ８ｂへカラー画像を表示出力する。
【０１６０】
また、複合装置１００、すなわち、画像復元装置１３０は、操作表示部８に設けられた色復元部６３によって色復元を行う色復元機能のＯＮ／ＯＦＦを指示する復元設定操作キーを備えていてもよい。
【０１６１】
この場合、色復元部６３は、復元設定操作キーによって色復元機能がＯＮに設定されているときにのみ、すなわち、色復元機能ＯＮ／ＯＦＦ信号がＯＮのときのみ、変更内容情報に基づくカラー画像データを変換前の色へ復元する色復元機能を実行する。
【０１６２】
なお、上記説明では、複合装置１００は、カラー原稿をスキャナ部３で読み取ってカラー画像データを取得した場合について、説明したが、コンピュータや外部スキャナ装置等の情報処理装置からカラー画像データを取得した場合にも同様に適用することができる。
【０１６３】
次に、本実施例の作用を説明する。本実施例の複合装置１００は、変更後の画像を元画像に戻すための画像情報を、画質への影響をより一層抑制しつつ該変更後画像に載せる。
【０１６４】
複合装置１００は、その画像処理装置１１０で、入力カラー画像データに対して、適宜の領域毎に、色変換を行ったカラー画像データを生成する。画像処理装置１１０は、カラー画像データに対して色変換を行うと、色変換が行われたことを示す色変換有画像Ｍｇのみを該カラー画像データに合成し、その色変換の内容と領域を示す色変換情報画像Ｃｇの画像データを生成する。
【０１６５】
また、複合装置１００は、その画像出力装置１２０の画像出力部１２１で、画像処理装置１１０の合成したカラー画像データに基づいて出力媒体の一面に画像を出力し、色変換情報画像Ｃｇの画像データに基づいて、その出力媒体の他面に画像を出力する。
【０１６６】
さらに、複合装置１００は、画像復元装置１３０で、色変換されたカラー画像データを、色変換前のカラー画像データに復元する。
【０１６７】
そして、本実施例の複合装置１００は、色変換タイプとして、カラーユニバーサルデザイン機構の定める色弱者タイプを用いて色変換を行う。
【０１６８】
すなわち、複合装置１００は、カラー画像データが入力されると、画像処理装置１１０が、図１５に示すように、色変換・情報生成処理を行う。
【０１６９】
すなわち、画像処理装置１１０は、入力される画像データに対して、配色変更検定部４１が、所定領域（部位）毎に、画像に対して色変更を行うべきオブジェクト（部位）があるか探索する（ステップＳ３０１）。
【０１７０】
配色変更検定部４１は、この色変更を行うべき部位（領域）があるか否かの探索を、例えば、上述のように、入力されるカラー画像データと色変更タイプ（Ｃ型、Ｐ型、Ｄ型、Ｔ型の４種）から、混同色を探索して、色変換対象領域であるか否かの判断を行う。
【０１７１】
配色変更検定部４１は、色変更を行うべき部位があるかチェックする（ステップＳ３０２）。ステップＳ３０２で、色変更を行うべき部位が無いと（ステップＳ３０２で、ＮＯのとき）、画像処理装置１１０は、配色変更検定部４１が、色変更を行わない旨の色変更情報を出力して、そのまま色変換・情報合成処理を終了する。
【０１７２】
ステップＳ３０２で、色変更を行うべき部位があると（ステップＳ３０２で、ＹＥＳのといき）、配色変更検定部４１は、色変更を行う旨と色変更内容（色変換内容）を示す色変更情報（色変換内容情報）を色変換部４２及び色変換情報画像生成部１１２へ出力する。色変換部４２は、色変更情報に基づいて、入力されるカラー画像データに対して上記領域毎に上述のように色変換を行い、色変換後のカラー画像データを色変換有画像合成部１１１へ出力する（ステップＳ３０３）。
【０１７３】
色変換有画像合成部１１１は、色変更情報を付加するかチェックする（ステップＳ３０４）。すなわち、色変換有画像合成部１１１は、色変更情報付加ＯＮ／ＯＦＦ信号がＯＮであるかＯＦＦであるかチェックする。
【０１７４】
ステップＳ３０４で、色変更情報付加ＯＮ／ＯＦＦ信号がＯＦＦで、色変更情報を付加しないとき（ステップＳ３０４で、ＮＯのとき）、画像処理装置１１０は、そのまま色変換・情報生成処理を終了する。
【０１７５】
ステップＳ３０４で、色変更情報付加ＯＮ／ＯＦＦ信号がＯＮで、色変更情報を付加するとき（ステップＳ３０４で、ＹＥＳのとき）、色変換有りを示す色変換有画像Ｍｇを、色変換部４２からの色変換されたカラー画像データに合成する。色変換有画像合成部１１１は、合成したカラー画像データを画像出力部１２１へ出力する（ステップＳ３０５）。
【０１７６】
色変換情報画像生成部１１２は、色変更情報付加ＯＮ／ＯＦＦ信号がＯＮであると、配色変更検定部４１からの色変更情報に応じた色変換パターン画像Ｐｇを生成して、輪郭画像Ｒｇと合成し、色変換情報画像Ｃｇの画像データを生成する。色変換情報画像生成部１１２は、生成した色変換情報画像Ｃｇの画像データを、画像出力部１２１へ出力する（ステップＳ３０６）。
【０１７７】
複合装置１００は、色変換有画像合成部１１１が合成処理したカラー画像データに基づいて、画像出力装置１２０の画像出力部１２１で、例えば、用紙Ｐの一面（表面）に画像を印刷出力する。また、複合装置１００は、色変換情報画像生成部１１２の生成した色変換情報画像Ｃｇの画像データに基づいて、画像出力装置１２０の画像出力部１２１で、カラー画像データに基づいて画像を形成した用紙の他面（裏面）に、色変換情報画像Ｃｇを印刷出力する。
【０１７８】
そして、複合装置１００は、画像復元装置１３０で、図１６に示すように、画像取得・色復元処理を実行する。
【０１７９】
複合装置１００は、画像データ取得部６１で、原稿の一面（表面）を読み取ったカラー画像データを取得すると、該カラー画像データに色変換有画像Ｍｇが含まれているかチェックする。複合装置１は、色変換有画像Ｍｇが含まれていると、原稿の他面（裏面）の色変換情報画像Ｃｇを読み取って該色変換情報画像Ｃｇの画像データに基づいて、色変換されているカラー画像データを色変換前の色に復元する。
【０１８０】
すなわち、複合装置１００は、画像復元装置１３０の画像データ取得部６１が、例えば、スキャナ部３でカラー原稿の一面（表面）を読み取ったカラー画像データを取得する。画像復元装置１３０は、画像データ取得部６１がカラー画像データを取得すると、色変換有無情報取得部１３１が、該カラー画像データに色変換有画像Ｍｇが含まれているかチェックする（ステップＳ４０１）。
【０１８１】
ステップＳ４０１で、色変換有画像Ｍｇがカラー画像データに含まれていないと（ステップＳ４０１で、ＮＯのとき）、画像復元装置１３０は、カラー画像データの復元処理を行うことなく、そのまま画像取得・色復元処理を終了する。
【０１８２】
ステップＳ４０１で、色変換有画像Ｍｇがカラー画像データに含まれていると（ステップＳ４０１で、ＹＥＳのとき）、色変換有無情報取得部１３１が、情報取得開始信号を情報取得部１３２の色変換情報取得部１３３へ出力する。色変換情報取得部１３３は、情報取得開始指示があると、原稿の他面（裏面）の画像データを取得して、色変換内容取得部１３４へ出力する（ステップＳ４０２）。
【０１８３】
色変換内容取得部１３４は、色変換情報取得部１３３からの画像データに基づいて、カラー画像データに施されている色変換パターンと色変換の行われている領域を取得し、色変換情報及び色変更タイプとして変更前色探索部１３５に出力する（ステップＳ４０３）。
【０１８４】
変更前色探索部１３５は、カラー画像データのうち、色変更（色変換）されている領域とその色変換タイプに基づいて、色変換されている領域（オブジェクト）と変換前の色（カラー画像データの色）を探索して特定する。変更前色探索部１３５は、特定した変更前の色と色変更領域（色変更部位）情報を色変更内容情報として色復元部６３へ出力する（ステップＳ４０４）。
【０１８５】
色復元部６３は、色復元機能ＯＮ／ＯＦＦ信号を調べて色復元機能がＯＮであるかチェックする（ステップＳ４０５）。
【０１８６】
色復元部６３は、ステップＳ４０５で、色復元機能がＯＦＦであると（ステップＳ４０５で、ＮＯのとき）、色復元処理を行うことなく、そのまま画像取得・色復元処理を終了する。
【０１８７】
ステップＳ４０５で、色復元機能がＯＮであると（ステップＳ４０５で、ＹＥＳのとき）、色復元部６３は、変更前色探索部１３５からの色変更内容情報に基づいて、色変換有無情報取得部１３１からのカラー画像データを色変換前のカラー画像データに復元する。この場合、色復元部６３は、色変換有無情報取得部１３１からのカラー画像データの領域（部位）毎に逆色変換を施して、色変換前のカラー画像データに復元する（ステップＳ４０６）。
【０１８８】
そして、複合装置１００は、画像復元装置１３０で復元処理されたカラー画像データに基づいて、プリンタ部４で、用紙等の被記録媒体に画像を印刷出力し、また、操作表示部８のディスプレイ８ｂへ画像を表示出力する。
【０１８９】
したがって、複合装置１００は、変更後の画像を元画像に戻すための画像情報である色変換有画像Ｍｇを画像面に、色変換情報画像Ｃｇを他面に付加することで、画像面の画質への影響をより一層抑制しつつ該変更後画像に載せることができる。
【０１９０】
また、ユーザの意図に応じて、色変更情報付加ＯＮ／ＯＦＦ信号をＯＮ／ＯＦＦすることで、色変換有画像Ｍｇと色変換情報画像Ｃｇの付加を制御することができ、利用性をより一層向上させることができる。
【０１９１】
さらに、ユーザの意図に応じて、色復元機能ＯＮ／ＯＦＦ信号をＯＮ／ＯＦＦすることで、色弱者等の色パターンに合わせて色変更されたカラー画像データを、色変更前のカラー画像データに復元することができる。そして、復元後のカラー画像データに基づいて、画像を表示出力や印刷出力することができ、利用性を向上させることができる。
【０１９２】
このように、本実施例の複合装置１００の画像処理装置１１０は、カラー画像データの所定領域毎に色変換を行う色変換対象領域であるか否か及び該色変換対象領域であるときの色変換内容を判断する配色変更検定部（変換判断手段）４１と、前記色変換判断結果に基づいて、前記カラー画像データに対して前記領域毎に色変換を行う色変換部（色変換手段）４２と、前記カラー画像データに対して前記色変換部４２による色変換が行われると、該色変換有りを示す色変換有画像Ｍｇを前記カラー画像データに合成する色変換有画像合成部（色変換有画像合成手段）１１１と、前記色変換部４２によって色変換の行われた輪郭画像データ（領域）Ｒｇと該色変換内容に関する色変換パターン画像（色変換内容情報）Ｐｇを示す色変換情報画像Ｃｇの画像データ（色変換情報画像データ）を生成する色変換情報画像生成部（色変換情報画像生成手段）１１２と、を備えている。
【０１９３】
したがって、変更後の画像を元画像に戻すための画像情報である色変換有画像Ｍｇのみをカラー画像データによる画像面に、色変換情報画像Ｃｇを他面に付加することができ、画像面の画質への影響をより一層抑制しつつ該変更後画像に載せることができる。その結果、画質の低下をより一層抑制しつつ、変更後の画像の有効利用をより一層図ることができる。
【０１９４】
また、本実施例の複合装置１００の画像処理装置１１０は、カラー画像データの所定領域毎に色変換を行う色変換対象領域であるか否か及び該色変換対象領域であるときの色変換内容を判断する変換判断処理ステップと、前記色変換判断結果に基づいて、前記カラー画像データに対して前記領域毎に色変換を行う色変換処理ステップと、前記カラー画像データに対して前記色変換処理ステップで色変換が行われると、該色変換有りを示す色変換有画像Ｍｇを前記カラー画像データに合成する色変換有画像合成処理ステップと、前記色変換処理ステップで色変換の行われた輪郭画像データ（領域）Ｒｇと該色変換内容に関する色変換パターン画像（色変換内容情報）Ｐｇを示す色変換情報画像Ｃｇの画像データ（色変換情報画像データ）を生成する色変換情報画像生成処理ステップと、を有する画像処理方法を実行してもよい。
【０１９５】
このようにすると、変更後の画像を元画像に戻すための画像情報である色変換有画像Ｍｇのみをカラー画像データによる画像面に、色変換情報画像Ｃｇを他面に付加することができ、画像面の画質への影響をより一層抑制しつつ該変更後画像に載せることができる。その結果、画質の低下をより一層抑制しつつ、変更後の画像の有効利用をより一層図ることができる。
【０１９６】
さらに、本実施例の複合装置１００の画像処理装置１１０は、ＣＰＵ２１等のコンピュータに、カラー画像データの所定領域毎に色変換を行う色変換対象領域であるか否か及び該色変換対象領域であるときの色変換内容を判断する変換判断処理と、前記色変換判断結果に基づいて、前記カラー画像データに対して前記領域毎に色変換を行う色変換処理と、前記カラー画像データに対して前記色変換処理で色変換が行われると、該色変換有りを示す色変換有画像Ｍｇを前記カラー画像データに合成する色変換有画像合成処理と、前記色変換処理ステップで色変換の行われた輪郭画像データ（領域）Ｒｇと該色変換内容に関する色変換パターン画像（色変換内容情報）Ｐｇを示す色変換情報画像Ｃｇの画像データ（色変換情報画像データ）を生成する色変換情報画像生成処理と、を実行させるプログラムを搭載してもよい。
【０１９７】
このようにすると、変更後の画像を元画像に戻すための画像情報である色変換有画像Ｍｇのみをカラー画像データによる画像面に、色変換情報画像Ｃｇを他面に付加することができ、画像面の画質への影響をより一層抑制しつつ該変更後画像に載せることができる。その結果、画質の低下をより一層抑制しつつ、変更後の画像の有効利用をより一層図ることができる。
【０１９８】
また、前記色変換有画像合成部１１１は、前記カラー画像データの少なくとも一対角方向の両角部に、前記色変換有画像Ｍｇを合成する。
【０１９９】
したがって、色変換が行われているか否かを、カラー画像データの読取方向にかかわらず速やかに取得できるようにすることができ、カラー画像データの画質の低下をより一層抑制しつつ、変更後の画像の有効利用をより一層図ることができる。
【０２００】
さらに、前記配色変更検定部４１は、前記カラー画像データの前記領域毎に、該カラー画像データが予め設定されている複数の色変換タイプのいずれかのカラー画像データに対応するか否かに基づいて前記色変換内容を判断する。
【０２０１】
したがって、容易かつ適切に色変換対象領域であるか否か及び色変換内容を判断することができ、変更後の画像を元画像に戻すための画像情報を、画質への影響を抑制しつつ該変更後画像に適切に載せることができる。
【０２０２】
また、前記配色変更検定部４１は、前記色変換タイプとして、カラーユニバーサルデザイン機構の定める色弱者タイプを用いて前記色変換内容を判断する。
【０２０３】
したがって、容易かつ適切に、色弱者に対応した色変換対象領域であるか否か及び色変換内容を判断することができ、色弱者用に変更した画像を元画像に戻すための画像情報を、画質への影響を抑制しつつ該変更後画像に適切に載せることができる。
【０２０４】
さらに、本実施例の複合装置１００の画像処理装置１１０は、前記色変換有画像合成部１１１による前記カラー画像データへの前記色変換有画像の合成／非合成及び前記色変換情報画像生成部１１２による前記色変換情報画像の生成／非生成を設定する操作表示部８等の設定手段を、さらに備え、前記色変換有画像合成部１１１は、前記設定手段で合成が設定されていると、前記カラー画像データへの前記色変換有画像Ｍｇの合成を行い、前記色変換情報画像生成部１１２は、前記設定手段で生成が設定されていると、前記色変換情報画像Ｃｇの生成を行う。
【０２０５】
したがって、ユーザの意図に応じて、カラー画像データへの色変更内容情報の合成／非合成を行って、より一層の劣化を防止することができる。
【０２０６】
また、本実施例の複合装置１００の画像処理装置１００は、出力媒体の一面のカラー画像からカラー画像データを取得する画像データ取得部（画像データ取得手段）６１と、前記画像データ取得部６１の取得した前記カラー画像データから、該カラー画像データに対して色変換が施されていることを示す色変換有画像を取得する色変換有無情報取得部（色変換有情報取得手段）１３１と、前記色変換有情報が取得されると、前記出力媒体の他面の画像から前記カラー画像データに対して実施されている前記領域とその色変換内容を示す色変換情報を取得する情報取得部（情報取得手段）１３２と、前記色変換情報に基づいて、前記カラー画像データに逆色変換を施して色変換前のカラー画像データに復元する色復元部（復元手段）６３と、をさらに備えている。
したがって、画質の低下を抑制しつつ色変換内容情報の載せられているカラー画像データから色変換前のカラー画像データをより一層簡単かつ適切に復元することができ、カラー画像データの利用性を向上させることができる。
さらに、本実施例の複合装置１００の画像形成装置としての画像出力装置１２０は、カラー画像データの所定領域毎に色変換を行う色変換対象領域であるか否か及び該色変換対象領域であるときの色変換内容を判断する配色変更検定部（変換判断手段）４１と、前記色変換判断結果に基づいて、前記カラー画像データに対して前記領域毎に色変換を行う色変換部（色変換手段）４２と、前記カラー画像データに対して前記色変換部４２による色変換が行われると、該色変換有りを示す色変換有画像Ｍｇを前記カラー画像データに合成する色変換有画像合成部（色変換有画像合成手段）１１１と、前記色変換部４２によって色変換の行われた輪郭画像データ（領域）Ｒｇと該色変換内容に関する色変換パターン画像（色変換内容情報）Ｐｇを示す色変換情報画像Ｃｇの画像データ（色変換情報画像データ）を生成する色変換情報画像生成部（色変換情報画像生成手段）１１２と、前記色変換有画像合成部１１１で前記色変換有画像Ｍｇの合成された前記カラー画像データに基づいて画像を出力媒体の一面に出力し、前記色変換情報画像生成部１１２で生成された前記色変換情報画像Ｃｇの画像データ（色変換情報画像データ）に基づいて色変換情報画像Ｃｇを該出力媒体の他面に出力する画像出力部（画像出力手段）１２１と、を備えている。
【０２０７】
したがって、変更後の画像を元画像に戻すための画像情報である色変換有画像Ｍｇを画像面に、色変換情報画像Ｃｇを他面に付加することができ、画像面の画質への影響をより一層抑制しつつ該変更後画像に載せることができる。その結果、画質の低下をより一層抑制しつつ、変更後の画像の有効利用をより一層図ることができる。
【０２０８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０２０９】
１  複合装置
２  本体筐体
３  スキャナ部
４  プリンタ部
５  給紙部
６  排紙部
８  操作表示部
８ａ  キー
８ｂ  ディスプレイ
２１  ＣＰＵ
２２  ＲＯＭ
２３  ＲＡＭ
２４  ＮＶＲＡＭ
２５  ハードディスク
２６  ネットワークＩ／Ｆ
２７  スキャナＩ／Ｆ
２８  プリンタＩ／Ｆ
２９  パネルＩ／Ｆ
３０  バス
４０  画像処理装置
４１  配色変更検定部
４２  色変換部
４３  色変更情報合成部
５０  画像出力装置
５１  画像出力部
６０  画像復元装置
６１  画像データ取得部
６２  情報取得部
６３  色復元部
１００  複合装置
１１０  画像処理装置
１１１  色変換有画像合成部
１１２  色変換情報画像生成部
１２０  画像出力装置
１２１  画像出力部
１３０  画像復元装置
１３１  色変換有無情報取得部
１３２  情報取得部
１３３  色変換情報取得部
１３４  色変換内容取得部
１３５  変更前色探索部
Ｐ  用紙
Ｃｇ  色変換情報画像
Ｐｇ  色変換パターン画像
Ｒｇ  輪郭画像
【先行技術文献】
【特許文献】
【０２１０】
【特許文献１】特開２０１２−２５３６３６号公報
【図１】
2017005675.tif 000003
【図２】
2017005675.tif 000004
【図３】
2017005675.tif 000005
【図４】
2017005675.tif 000006
【図８】
2017005675.tif 000007
【図９】
2017005675.tif 000008
【図１０】
2017005675.tif 000009
【図１１】
2017005675.tif 000010
【図１４】
2017005675.tif 000011
【図１５】
2017005675.tif 000012
【図１６】
2017005675.tif 000013
【図５】
2017005675.tif 000014
【図６】
2017005675.tif 000015
【図７】
2017005675.tif 000016
【図１２】
2017005675.tif 000017
【図１３】
2017005675.tif 000018